(57)【特許請求の範囲】
【請求項１】
柔軟材質のパウチ状に形成される収容部と、
前記収容部の上端を開放状態に維持する連結部と、
前記連結部の上端の開放を遮断するが、裏面の押圧板により前記収容部の中に収容されるキムチを加圧する蓋部と、
前記収容部の下端の開放を遮断するが、定形化され、前記収容部の下端の形態を一定に維持する支持部と、を備え、
前記支持部の横幅及び縦幅は、前記連結部及び前記蓋部の横幅及び縦幅よりもさらに大きく形成されて、前記支持部は、前記連結部及び前記蓋部を収容可能であり、
前記連結部及び蓋部は、前記収容部の上端が下端内側に入り込むことにより、前記支持部内側に収容され、
前記連結部と支持部の外面には、前後または左右に対向する突起をそれぞれ備えるが、前記突起それぞれには、前記取っ手の両端部に複数個設けられる結合孔のいずれか１つがそれぞれ結合され、
前記収容部内のキムチ保存容量変更に対応するように、前記連結部と支持部との間隔が調節可能な流動性及び定形性を有するキムチ包装容器。
【請求項２】
前記収容部は、透明または半透明のビニール、または合成樹脂フィルムで形成されることである請求項１に記載の流動性及び定形性を有するキムチ包装容器。
【請求項３】
前記連結部は、外面または内面の周囲が、前記収容部の上端の内面または外面の周囲に融着されることである請求項１に記載の流動性及び定形性を有するキムチ包装容器。
【請求項４】
前記連結部は、外面の周囲に、外側に突出した突出片を有することである請求項１に記載の流動性及び定形性を有するキムチ包装容器。
【請求項５】
前記蓋部は、内面の周囲に、内側に突出した結合段を有することである請求項１に記載の流動性及び定形性を有するキムチ包装容器。
【請求項６】
前記押圧板は、前記蓋部が前記連結部に結合された状態で、その下端が前記連結部の下端に比べて下部に位置することである請求項１に記載の流動性及び定形性を有するキムチ包装容器。
【請求項７】
前記支持部は、外面または内面の周囲が、前記収容部の下端の内面または外面の周囲に融着されることである請求項１に記載の流動性及び定形性を有するキムチ包装容器。
【請求項８】
前記支持部は、底面の周縁から一定の高さで上部に連なる壁体を有することである請求項１に記載の流動性及び定形性を有するキムチ包装容器。
【請求項９】
前記壁体は、上部に突出した複数の延長片を有することである請求項８に記載の流動性及び定形性を有するキムチ包装容器。
【発明の詳細な説明】
【技術分野】
【０００１】
本発明は、キムチ包装容器に係り、さらに詳しくは、キムチが収容される柔軟材質の収容部の下端に定形化された支持部が結合されることにより、支持部による収容部の下端の形態維持により、キムチの保管及び運搬が容易に行われるようにした流動性及び定形性を有するキムチ包装容器に関する。
【背景技術】
【０００２】
従来、キムチ類の商品(以下「キムチ」という)は、一般に柔軟材質のパウチで包装されている。しかしながら、キムチを柔軟材質のパウチで包装する場合、保管及び運搬過程において、一方に傾きまたは倒れる場合、内部のキムチの一部が汁に浸らず、酵母及びカビの発生、変色、脱色、物理的劣化等が発生し、これによりキムチの品質が低下するという問題があった。このような問題を解決するために、本出願人は、特許文献１に開示されたようなキムチ包装容器を提案したことがある。前記キムチ包装容器は、パウチ部の中のキムチが蓋部の裏面の押圧板により加圧されて汁に浸るので、キムチの品質維持が容易である。しかしながら、前記キムチ包装容器は、陳列棚等の底板と頻繁に接触するパウチ部の下端が、材質の特性上、外部からの衝撃により損傷し易いという問題があった。また、前記キムチ包装容器は、材質の特性上、パウチ部にしわができまたは屈曲が形成されるため、外面に表記された商品情報が確認し難く、消費者の選択を困らすだけでなく、特に、パウチ部の下端の形態が維持されず、積層等が難しくなることにより、キムチの保管及び運搬が困難であるという問題があった。また、前記キムチ包装容器は、冷蔵保管の過程において、パウチ部が冷蔵庫の内壁に接触する場合、接触部位の周辺のキムチが氷結されやすく、キムチの品質が低下するという問題があった。しかも、前記キムチ包装容器は、蓋部と結合する連結部の下端が、蓋部の押圧板の下端に比べてさらに下部に位置するため、消費者がキムチを食べることにより、パウチ部の中のキムチの貯蔵量がある水準以下に減ると、連結部により押圧板の下端とパウチ部の中のキムチとの間に空間が生じるため、押圧板によるキムチへの加圧が行われず、キムチの品質が低下するという問題があった。このような理由により、該当分野では、パウチ部の下端の形態を維持することにより、キムチの保管及び運搬が容易になるだけでなく、保管及び運搬過程において、キムチの品質低下を防止することのできるキムチ包装容器の開発を続けているが、これまでは満足すべき結果が得られない実情である。
【先行技術文献】
【特許文献】
【０００３】
【特許文献１】大韓民国登録実用新案公報第２０‐０４３１１４０号(公告日：２００６．１１．１４．)
【発明の概要】
【発明が解決しようとする課題】
【０００４】
本発明は、前記問題点に鑑みなされたものであり、従来のキムチ包装容器において、パウチ部の下端が外部からの衝撃等により損傷し易いという問題を解決することのできるキムチ包装容器を提供することを目的とする。また、本発明は、従来のキムチ包装容器において、パウチ部の下端の形態が維持されず、キムチの保管及び運搬が困難であるという問題を解決することのできるキムチ包装容器を提供することを目的とする。また、本発明は、従来のキムチ包装容器による冷蔵保管時、パウチ部の中のキムチの氷結が頻繁に発生し、キムチの品質が低下するという問題を解決することのできるキムチ包装容器を提供することを目的とする。さらに、本発明は、従来のキムチ包装容器において、押圧板によるキムチへの加圧が解除され、キムチの品質が低下するという問題を解決することのできるキムチ包装容器を提供することを目的とする。
【課題を解決するための手段】
【０００５】
前記目的を達成するための本発明に係る流動性及び定形性を有するキムチ包装容器は、柔軟材質のパウチ状に形成される収容部と、前記収容部の上端を開放状態に維持する連結部と、前記連結部の上端の開放を遮断するが、裏面の押圧板により前記収容部の中に収容されるキムチを加圧する蓋部と、前記収容部の下端の開放を遮断するが、定形化され、前記収容部の下端の形態を一定に維持する支持部と、を備える。前記収容部は、透明または半透明のビニール、または合成樹脂フィルムで形成されてもよい。前記連結部は、外面または内面の周囲が、前記収容部の上端の内面または外面の周囲に融着される。前記連結部は、外面の周囲に、外側に突出した突出片を有する。前記連結部は、外面に、前後または左右に対向する突起を有する。前記突起のそれぞれには、取っ手の両端部に複数個設けられる結合孔のいずれか一つが結合される。前記連結部は、合成樹脂の射出成形物で形成されてもよい。前記蓋部は、内面の周囲に、内側に突出した結合段を有する。前記蓋部は、合成樹脂の射出成形物で形成されてもよい。前記押圧板は、前記蓋部が前記連結部に結合された状態で、その下端が前記連結部の下端に比べて下部に位置する。前記支持部は、外面または内面の周囲が、前記収容部の下端の内面または外面の周囲に融着される。前記支持部は、前記連結部及び前記蓋部を収容可能な形態及び大きさに形成される。前記支持部は、円形、楕円形、多角形のいずれか一形態に形成されてもよい。前記支持部は、外面に、前後または左右に対向する突起を有する。前記突起のそれぞれには、取っ手の両端部に複数個設けられる結合孔のいずれか一つが結合される。前記支持部は、底面の周縁から一定の高さで上部に連なる壁体を有する。前記壁体は、上部に突出した複数の延長片を有してもよい。前記支持部は、合成樹脂の射出成形物で形成されてもよい。
【発明の効果】
【０００６】
本発明によれば、収容部の下端に定形化された支持部が結合されるので、支持部により収容部の下端が保護されることとともに、収容部の下端の形態が一定に維持されるので、収容部の下端の損傷が防止されるだけでなく、キムチの保管及び運搬が容易になることができる。また、押圧板の下端が連結部の下端に比べてさらに下部に位置するだけでなく、支持部が連結部及び蓋部を収容可能であるので、押圧板によるキムチへの加圧が持続的に維持され、キムチの品質低下を防止することができる。
【図面の簡単な説明】
【０００７】
【図１】本発明に係る流動性及び定形性を有するキムチ包装容器の外形を示す斜視図である。
【図２】本発明に係る流動性及び定形性を有するキムチ包装容器の構造を説明するための分離斜視図である。
【図３】本発明に係る流動性及び定形性を有するキムチ包装容器の構造を説明するための結合状態の断面図である。
【図４】本発明に係る流動性及び定形性を有するキムチ包装容器における支持部の他の形態を示す斜視図である。
【図５】本発明に係る流動性及び定形性を有するキムチ包装容器において、蓋部の押圧板によるキムチへの加圧を説明するための例示図である。
【図６】本発明に係る流動性及び定形性を有するキムチ包装容器において、支持部による蓋部及び連結部の収容を説明するための例示図である。
【図７】本発明に係る流動性及び定形性を有するキムチ包装容器に取っ手が結合された一形態を示す例示図である。
【図８】本発明に係る流動性及び定形性を有するキムチ包装容器において、取っ手が結合された他の形態を示す例示図である。
【発明を実施するための形態】
【０００８】
以下、添付された図面を参照して、本発明の好適な実施例について詳述する。図１乃至図３に示すように、本発明に係る流動性及び定形性を有するキムチ包装容器Ａは、収容部１０と、連結部２０と、蓋部３０と、支持部４０とを備える。前記収容部１０は、柔軟材質のパウチ状に形成される。このような前記収容部１０は、上部及び下部が開放した形態に形成される。前記収容部１０の上部及び下部が開放した形態に形成されることにより、前記収容部１０の上端に前記連結部２０が結合可能であり、前記収容部１０の下端に前記支持部４０が結合可能である。一方、前記収容部１０は、透明または半透明のビニール、または合成樹脂フィルムで形成されてもよい。前記収容部１０が透明または半透明のビニール、または合成樹脂フィルムで形成されることにより、材質の特性上、前記収容部１０の外部から、その内部に収容されるキムチ１００の視覚的な確認が可能である。前記連結部２０は、前記収容部１０の上端を開放状態に維持する。このような前記連結部２０は、外面または内面の周囲が、前記収容部１０の上端の内面または外面の周囲に融着されことが好ましい。前記連結部２０の外面または内面の周囲が、前記収容部１０の上端の内面または外面の周囲に融着されることにより、前記連結部２０と前記収容部１０との間からキムチ１００の汁等が漏れることが防止される。また、前記連結部２０は、外面の周囲に、外側に突出した突出片２１を有することが好ましい。前記連結部２０が前記突出片２１を有することにより、前記突出片２１が後述する前記蓋部３０の結合段３２に係止され、前記連結部２０と前記蓋部３０の結合が可能である。
【０００９】
また、前記連結部２０は、外面に、前後または左右に対向する突起２２を有することが好ましい。前記連結部２０が前記突起２２を有することにより、前記突起２２のそれぞれに取っ手５０の両端部に複数個設けられる結合孔５１のいずれか一つが結合され、前記連結部２０に前記取っ手５０が固定される。また、前記連結部２０は、合成樹脂の射出成形物で形成されてもよい。前記連結部２０が合成樹脂の射出成形物で形成されることにより、前記連結部２０の耐久性が安定するだけでなく、前記連結部２０の製造が容易である。
【００１０】
前記蓋部３０は、前記連結部２０の上端の開放を遮断するが、裏面の押圧板３１により前記収容部１０の中に収容されるキムチ１００を加圧する。このような前記蓋部３０は、内面の周囲に、内側に突出した結合段３２を有することが好ましい。前記蓋部３０が前記結合段３２を有することにより、前記結合段３２に前記連結部２０に設けられる前記突出片２１が係止され、前記蓋部３０と前記連結部２０の結合が可能である。また、前記蓋部３０は、合成樹脂の射出成形物で形成されてもよい。前記蓋部３０が合成樹脂の射出成形物で形成されることにより、前記蓋部３０の耐久性が安定するだけでなく、前記蓋部３０の製造が容易である。
【００１１】
一方、前記蓋部３０における前記押圧板３１は、前記収容部１０内のキムチ１００を加圧できるものであれば、通常のいずれの形態であってもよい。但し、前記押圧板３１は、前記蓋部３０が前記連結部２０に結合された状態で、その下端が前記連結部２０の下端に比べて下部に位置することが好ましい。前記押圧板３１の下端が前記連結部２０の下端に比べて下部に位置することにより、前記連結部２０による前記押圧板３１と前記収容部１０内のキムチ１００との間の空間発生が防止されるので、前記押圧板３１による前記収容部１０内のキムチ１００への加圧が持続する。
【００１２】
前記支持部４０は、前記収容部１０の下端の開放を遮断するが、定形化され、前記収容部１０の下端の形態を一定に維持する。このような前記支持部４０は、外面または内面の周囲が、前記収容部１０の下端の内面または外面の周囲に融着されることが好ましい。前記支持部４０の外面または内面の周囲が、前記収容部１０の下端の内面または外面の周囲に融着されることにより、前記支持部４０と前記収容部１０との間からキムチ１００の汁等が漏れることが防止される。
【００１３】
また、前記支持部４０は、図６に示すように、前記連結部２０及び前記蓋部３０を収容可能な形態及び大きさに形成されることが好ましい。前記支持部４０内に前記連結部２０及び前記蓋部３０が収容されると、キムチ１００が前記支持部４０の底部に隣接して残存しても、前記押圧板３１により加圧されるので、キムチ１００の貯蔵量にかかわらず、キムチ１００の品質の維持が可能である。このとき、前記支持部４０は、前記連結部２０及び前記蓋部３０の収容が可能であれば、いずれの形態に形成されてもよく、その例としては、円形、楕円形、多角形のいずれか一形態であってもよい。また、前記支持部４０は、外面に、前後または左右に対向する突起４１を有することが好ましい。前記支持部４０が前記突起４１を有することにより、前記突起４１のそれぞれに前記取っ手５０の両端部に複数個設けられる前記結合孔５１のいずれか一つが結合され、前記支持部４０に前記取っ手５０が固定される。また、前記支持部４０は、合成樹脂の射出成形物で形成されてもよい。前記支持部４０が合成樹脂の射出成形物で形成されることにより、前記支持部４０の耐久性が安定するだけでなく、前記支持部４０の製造が容易である。また、前記支持部４０は、底面４０ａの周縁から一定の高さで上部に連なる壁体４０ｂを有することが好ましい。前記支持部４０が前記壁体４０ｂを有することにより、前記支持部４０によっても一定量のキムチ１００の収容が可能である。
【００１４】
一方、前記支持部４０の他の実施例として、図４に示すように、前記壁体４０ｂは、上部に突出した複数の延長片４０ｃを有してもよい。前記壁体４０ｂが延長片４０ｃを有することにより、前記延長片４０ｃによっても前記収容部１０の形態が維持される。
【００１５】
以下、本発明に係る流動性及び定形性を有するキムチ包装容器Ａ(以下「容器」という)によるキムチ１００の包装について詳述する。
【００１６】
本発明において、前記収容部１０は、柔軟材質のパウチ状に形成され、材質の特性上、流動性を有するので、前記収容部１０が流動し、すなわち、前記収容部１０が前記連結部２０及び前記蓋部３０の荷重により下部へ下がるので、図５に示すように、前記押圧板３１の下端が前記キムチ１００に接し、前記押圧板３１によるキムチ１００への加圧が可能である。
【００１７】
したがって、前記収容部１０内に最初からキムチ１００を少量投入し、言い換えればキムチ１００を少量包装し、または前記収容部１０内のキムチ１００を食べても、前記押圧板３１によるキムチ１００への加圧が維持されるので、キムチ１００の品質が一定に維持される。但し、前記収容部１０が柔軟材質のパウチ状に形成されるにより、前記収容部１０の下端の損傷が発生するだけでなく、特に、前記収容部１０が流動して傾きまたは倒れるにより、正しく立てまたは積層することが容易ではなく、キムチ１００の保管及び運搬が困難であり得る。しかし、本発明において、前記収容部１０は、その下端に定形化された前記支持部４０が結合されるので、前記支持部４０により、下端が保護されるだけでなく、下端の形態が一定に維持されるので、正しく立てまたは積層することができ、キムチ１００の保管及び運搬が容易になる。
【００１８】
一方、本発明の前記連結部２０及び前記支持部４０は、前記突起２２、４１を有し、図７に示すように、前記突起２２、４１により、前記取っ手５０との結合が可能であるので、前記取っ手５０を把持するにより、キムチ１００の保管及び運搬がさらに容易になる。
但し、前記連結部２０及び前記支持部４０と前記取っ手５０の結合状態が固定される場合、前記連結部２０の下端と前記支持部４０の上端との間の間隔が固定され、前記収容部１０によるキムチ１００の貯蔵容量に制限があり得る。
【００１９】
しかし、本発明において、前記突起２２のそれぞれには、前記取っ手５０に複数個設けられる前記結合孔５１のいずれか一つが結合されるので、複数個設けられる前記結合孔５１のいずれか一つを選択し、前記突起２２のそれぞれに結合することにより、前記連結部２０の下端と前記支持部４０の上端との間の間隔が調節され、図８に示すように、前記収容部１０によるキムチ１００の貯蔵容量の変更が可能であるので、本発明に係る容器Ａにより多様な容量のキムチ１００の包装が可能である。
【００２０】
上述のように、本発明に係る流動性及び定形性を有するキムチ包装容器Ａは、前記収容部１０の下端に、定形化された前記支持部４０が結合されるので、前記支持部４０により前記収容部１０の下端が保護されるとともに、前記収容部１０の下端の形態が一定に維持されるので、前記収容部１０の下端の損傷が防止されるだけでなく、キムチ１００の保管及び運搬が容易になり、前記押圧板３１の下端が前記連結部２０の下端に比べてさらに下部に位置するだけでなく、前記支持部４０が前記連結部２０及び前記蓋部３０を収容可能であるので、前記押圧板３１によるキムチ１００への加圧が持続的に維持され、キムチ１００の品質低下を防止することができる。
【００２１】
上述したような本発明は、上記した実施例に限定されないので、請求の範囲で請求する本発明の要旨を逸脱しない範囲内において変更が可能であり、これらの変更は、後述する請求の範囲の記載により定義される本発明の保護範囲内のものと認められる。
【符号の説明】
【００２２】
１０  収容部
２０  連結部
２１  突出片
２２  突起
３０  蓋部
３１  押圧板
３２  結合段
４０  支持部
４１  突起
４０ａ  底面
４０ｂ  壁体
４０ｃ  延長片
５０  取っ手
５１  結合孔
１００  キムチ
Ａ  キムチ包装容器
【図１】
0006600747.tif 000002
【図２】
0006600747.tif 000003
【図３】
0006600747.tif 000004
【図４】
0006600747.tif 000005
【図５】
0006600747.tif 000006
【図６】
0006600747.tif 000007
【図７】
0006600747.tif 000008
【図８】
0006600747.tif 000009